(57)【要約】【課題】充電器の電池の容量を有効利用することが可能な技術を提供する。【解決手段】電子機器は、充電器によって充電され、第１出力電圧を出力する第１電池と、第１電池を充電し、第１電池の第１電力を所定回路に供給する電力制御部と備える。第１電池を充電する充電器は、第２電池と、前記第２電池の第２出力電圧を昇圧して出力する昇圧回路とを備える。電力制御部は、動作モードとして、昇圧回路から出力される昇圧電圧が入力され、昇圧回路を通じて電子機器に供給される第２電池の第２電力である第３電力に基づいて第１電池を充電し、第３電力を所定回路に供給する第１動作モードと、昇圧回路を介さずに電子機器に供給される第２電力である第４電力を所定回路に供給する第２動作モードとを有する。【選択図】図１２
2016208714.tif 000002
【特許請求の範囲】
【請求項１】
充電器によって充電される電池を備える電子機器であって、
前記充電器によって充電され、第１出力電圧を出力する第１電池と、
前記第１電池を充電し、前記第１電池の第１電力を所定回路に供給する電力制御部と
備え、
前記充電器は、第２電池と、前記第２電池の第２出力電圧を昇圧して出力する昇圧回路とを備え、
前記電力制御部は、動作モードとして、
前記昇圧回路から出力される昇圧電圧が入力され、前記昇圧回路を通じて前記電子機器に供給される前記第２電池の第２電力である第３電力に基づいて前記第１電池を充電し、前記第３電力を前記所定回路に供給する第１動作モードと、
前記昇圧回路を介さずに前記電子機器に供給される前記第２電力である第４電力を前記所定回路に供給する第２動作モードと
を有する、電子機器。
【請求項２】
請求項１に記載の電子機器であって、
前記電力制御部は、前記第２動作モードにおいて、前記第１及び第４電力を前記所定回路に供給する、電子機器。
【請求項３】
請求項２に記載の電子機器であって、
前記電力制御部は、前記第２動作モードにおいて、前記１及び第２電池を電気的に接続して一つの電池として使用することによって、前記第１及び第４電力を前記所定回路に供給する、電子機器。
【請求項４】
請求項２に記載の電子機器であって、
前記電力制御部は、前記第２動作モードにおいて、前記第１及び第４電力を切り替えて前記所定回路に供給する、電子機器。
【請求項５】
請求項４に記載の電子機器であって、
前記電力制御部は、前記第２動作モードにおいて、
前記第１出力電圧が、前記第２出力電圧よりも大きい場合には、前記第１電力を前記所定回路に供給し、
前記第２出力電圧が前記第１出力電圧よりも大きい場合には、前記第４電力を前記所定回路に供給する、電子機器。
【請求項６】
請求項１に記載の電子機器であって、
前記電力制御部は、前記第２動作モードにおいて、前記第１、第３及び第４電力のうち前記第４電力だけを前記所定回路に供給する、電子機器。
【請求項７】
請求項６に記載の電子機器であって、
前記電力制御部は、
前記第１電池の容量を求めて、求めた容量がしきい値未満あるいは前記しきい値以下のときには、前記第１動作モードで動作し、
前記容量が前記しきい値以上あるいは前記しきい値よりも大きいときには、前記第２動作モードで動作する、電子機器。
【請求項８】
請求項７に記載の電子機器あって、
前記電力制御部は、前記第１動作モードで動作しているときに、前記容量が前記しきい値以上あるいは前記しきい値よりも大きくなったとき、前記第２動作モードで動作する、電子機器。
【請求項９】
請求項６乃至請求項８のいずれか一つに記載の電子機器であって、
前記電力制御部は、前記第１及び第４電力を前記所定回路に供給する第３動作モードを有する、電子機器。
【請求項１０】
請求項１乃至請求項９のいずれか一つに記載の電子機器であって、
前記電力制御部は、ユーザから指定される前記動作モードで動作する、電子機器。
【請求項１１】
電子機器が有する第１電池を充電する充電器であって、
第２電池と、
前記第２電池の出力電圧を昇圧して出力する昇圧回路と
を備え、
前記充電器は、
前記昇圧回路から出力される昇圧電圧を前記電子機器に出力し、前記第２電池の電力を前記昇圧回路を通じて前記電子機器に供給し、
前記電力を前記昇圧回路を介さずに前記電子機器に供給する、充電器。
【請求項１２】
電子機器と、
充電器と
を備え、
前記電子機器は、
前記充電器によって充電され、第１出力電圧を出力する第１電池と、
前記第１電池を充電し、前記第１電池の第１電力を所定回路に供給する電力制御部と
有し、
前記充電器は、
第２電池と、
前記第２電池の第２出力電圧を昇圧して出力する昇圧回路と
を有し、
前記電力制御部は、動作モードとして、
前記昇圧回路から出力される昇圧電圧が入力され、前記昇圧回路を通じて前記電子機器に供給される前記第２電池の第２電力である第３電力に基づいて前記第１電池を充電し、前記第３電力を前記所定回路に供給する第１動作モードと、
前記昇圧回路を介さずに前記電子機器に供給される前記第２電力である第４電力を前記所定回路に供給する第２動作モードと
を有する、電子機器システム。
【発明の詳細な説明】
【技術分野】
【０００１】
本発明は、電子機器に関する。
【背景技術】
【０００２】
特許文献１にも記載されているように、従来から、電子機器が備える電池の充電に関して様々な技術が提案されている。
【先行技術文献】
【特許文献】
【０００３】
【特許文献１】特開２００８−１３１８１２号公報
【発明の概要】
【発明が解決しようとする課題】
【０００４】
電子機器が備える電池は、充電器が備える電池から供給される電力によって充電されることがある。充電器の電池の容量は有効利用されることが望まれる。
【０００５】
そこで、本発明は上述の点に鑑みて成されたものであり、充電器の電池の容量を有効利用することが可能な技術を提供することを目的とする。
【課題を解決するための手段】
【０００６】
電子機器、充電器及び電子機器システムが開示される。一の実施の形態では、電子機器は、充電器によって充電される電池を備える電子機器である。電子機器は、充電器によって充電され、第１出力電圧を出力する第１電池と、第１電池を充電し、第１電池の第１電力を所定回路に供給する電力制御部と備える。充電器は、第２電池と、第２電池の第２出力電圧を昇圧して出力する昇圧回路とを備える。電力制御部は、動作モードとして、昇圧回路から出力される昇圧電圧が入力され、昇圧回路を通じて電子機器に供給される第２電池の第２電力である第３電力に基づいて第１電池を充電し、第３電力を所定回路に供給する第１動作モードと、昇圧回路を介さずに電子機器に供給される第２電力である第４電力を所定回路に供給する第２動作モードとを有する。
【０００７】
また、一の実施の形態では、充電器は、電子機器が有する第１電池を充電する充電器である。充電器は、第２電池と、第２電池の出力電圧を昇圧して出力する昇圧回路とを備える。充電器は、昇圧回路から出力される昇圧電圧を電子機器に出力し、第２電池の電力を昇圧回路を通じて電子機器に供給する。充電器は、第２電池の電力を昇圧回路を介さずに電子機器に供給する。
【０００８】
また、一の実施の形態では、電子機器システムは、電子機器と、充電器とを備える。電子機器は、充電器によって充電され、第１出力電圧を出力する第１電池と、第１電池を充電し、第１電池の第１電力を所定回路に供給する電力制御部と有する。充電器は、第２電池と、第２電池の第２出力電圧を昇圧して出力する昇圧回路とを有する。電力制御部は、動作モードとして、昇圧回路から出力される昇圧電圧が入力され、昇圧回路を通じて電子機器に供給される第２電池の第２電力である第３電力に基づいて第１電池を充電し、第３電力を所定回路に供給する第１動作モードと、昇圧回路を介さずに電子機器に供給される第２電力である第４電力を所定回路に供給する第２動作モードとを有する。
【発明の効果】
【０００９】
充電器の電池の容量を有効利用することができる。
【図面の簡単な説明】
【００１０】
【図１】電子機器システムの外観を示す背面図である。
【図２】電子機器システムの外観を示す側面図である。
【図３】電子機器の外観を示す前面図である。
【図４】電子機器の外観を示す背面図である。
【図５】電子機器の外観を示す側面図である。
【図６】電子機器の外観を示す側面図である。
【図７】充電器の外観を示す前面図である。
【図８】充電器の外観を示す背面図である。
【図９】充電器の外観を示す側面図である。
【図１０】電子機器の電気的構成を示すブロック図である。
【図１１】充電器の電気的構成を示すブロック図である。
【図１２】電子機器の電源部の電気的構成を示すブロック図である。
【図１３】充電器及び電子機器の電源部の等価的な構成を示すブロック図である。
【図１４】充電器及び電子機器の電源部の等価的な構成を示すブロック図である。
【図１５】充電器及び電子機器の電源部の等価的な構成を示すブロック図である。
【図１６】電力制御部の動作を示すフローチャートである。
【図１７】電力制御部の動作を示すフローチャートである。
【図１８】充電器の変形例の電気的構成を示すブロック図である。
【図１９】電子機器の変形例の電源部の電気的構成を示すブロック図である。
【発明を実施するための形態】
【００１１】
＜電子機器システムの外観＞
図１及び２は電子機器システム１の外観を示す図である。図１，２に示されるように、電子機器システム１は、電子機器２と、電子機器２に対して着脱可能な充電器３とを備えている。電子機器２は、例えば、スマートフォン等の携帯電話機である。図１，２には、充電器３が装着された電子機器２が示されている。充電器３は、例えば、電子機器２の背面２ｂ側に装着される。図１は、充電器３が装着された電子機器２がその背面２ｂ側から示されている。図２は、図１の矢視Ａから見た際の、充電器３が装着された電子機器２が示されている。
【００１２】
充電器３は、電子機器２が備える電池を充電することが可能である。充電器３には電池が設けられている。充電器３は、自身の電池の電力を電子機器２に供給することによって、電子機器２の電池を充電する。以後、充電器３が装着された電子機器２を「充電器付き電子機器２」と呼ぶことがある。
【００１３】
＜電子機器の外観＞
図３は電子機器２の外観を示す前面図である。図４は電子機器２の外観を示す背面図である。図５は図３の矢視Ｂから見た際の電子機器２の外観を示す側面図である。図６は図３の矢視Ｃから見た際の電子機器２の外観を示す側面図である。
【００１４】
図１〜６に示されるように、電子機器２は、平面視で略長方形の板状の機器ケース２０を備えている。電子機器２の前面２ａ、つまり機器ケース２０の前面には、文字、記号、図形等の各種情報が表示される表示領域２１が設けられている。表示領域２１の裏面には後述するタッチパネル２４０が貼り付けられている。これにより、ユーザは、電子機器２の前面２ａの表示領域２１を指等で操作することによって、電子機器２に対して各種情報を入力することができる。なお、ユーザは、指以外の操作子、例えば、スタイラスペンなどの静電式タッチパネル用ペンで表示領域２１を操作することによっても、電子機器２に対して各種情報を入力することができる。
【００１５】
機器ケース２０の前面の下側端部及び上側端部にはマイク穴２３及びレシーバ穴２２がそれぞれ設けられている。機器ケース２０の前面の上側端部からは、後述する前面側撮像部２８０が有する撮像レンズ２８１が視認可能となっている。また機器ケース２０の下側の側面２ｄには、図６に示されるように、ＵＳＢ（Universal Serial Bus）コネクタ２０６が設けられている。ＵＳＢコネクタ２０６にはＵＳＢケーブルが接続される。ＵＳＢコネクタ２０６には、ＡＣアダプター等からＵＳＢケーブルを介して外部電力が供給される。電子機器２は、充電器３から供給される電力だけではなく、ＵＳＢコネクタ２０６に供給される外部電力によっても電池を充電することができる。
【００１６】
図１，４に示されるように、電子機器２の背面２ｂ、つまり機器ケース２０の背面には、スピーカ穴２４が設けられている。機器ケース２０の背面からは、後述する裏面側撮像部２９０が有する撮像レンズ２９１が視認可能となっている。また機器ケース２０の背面には、複数の接続端子２０７ｚから成る接続端子群２０７が設けられている。各接続端子２０７ｚは、金属等の導電性材料で構成されている。接続端子群２０７は、電子機器２に充電器３が装着されると、充電器３に設けられた後述の接続端子群３０７と接触する。これにより、電子機器２と充電器３とが電気的に接続される。
【００１７】
＜充電器の外観＞
図７〜９は充電器３の外観を示す図である。図７には外側面３ａから見た際の充電器３が示されており、図８には内側面３ｂから見た際の充電器３が示されている。図９には図７の矢視Ｄから見た際の充電器３が示されている。
【００１８】
図１，２，７〜９に示されるように、充電器３は、その内側面３ｂが少し凹んだ浅い皿状となっている。充電器３は、平面視において、四隅が丸い長方形の上、下、左及び右の辺の中央部のそれぞれが凹んだ形状となっている。
【００１９】
充電器３では、中央部３０の四隅から４つの保持部３１〜３４がそれぞれ延びている。４つの保持部３１〜３４が、電子機器２（機器ケース２０）の四隅の角部をそれぞれ保持することによって、充電器３が電子機器２に装着される。図１に示されるように、保持部３１，３２，３３，３４は、電子機器２を背面２ｂ側から見た際の電子機器２の左上角部、右上角部、左下角部及び右下角部をそれぞれ保持する。例えば、４つの保持部３１〜３４は、それらの内側に設けられた爪部と、機器ケース２０の四隅の角部に設けられた凹部とが嵌合することによって、当該四隅の角部を保持する。
【００２０】
図８に示されるように、中央部３０の内側面の下側端部には、複数の接続端子３０７ｚから成る接続端子群３０７が設けられている。各接続端子３０７ｚは、金属等の導電性材料で構成されている。充電器３が電子機器２に装着されると、充電器３の複数の接続端子３０７ｚが電子機器２の複数の接続端子２０７ｚとそれぞれ接触する。
【００２１】
図２，９に示されるように、充電器３における、曲面となっている外側面３ａには、ＵＳＢコネクタ３０６が設けられている。具体的には、充電器３の保持部３４の外側面にはＵＳＢコネクタ３０６が設けられている。ＵＳＢコネクタ３０６にはＵＳＢケーブルが接続される。充電器付き電子機器２では、側面の方からＵＳＢケーブルがＵＳＢコネクタ３０６に接続可能となっている。ＵＳＢコネクタ３０６には、ＡＣアダプター等からＵＳＢケーブルを介して外部電力が供給される。充電器３は、ＵＳＢコネクタ３０６に供給される外部電力によって、自身の電池を充電することができる。
【００２２】
＜電子機器の電気的構成＞
図１０は電子機器２の電気的構成を主に示すブロック図である。図１０に示されるように、電子機器２には、電源部２００、制御部２１０、無線通信部２２０、表示パネル２３０及びタッチパネル２４０が設けられている。さらに電子機器２には、マイク２５０、レシーバ２６０、外部スピーカ２７０、前面側撮像部２８０及び裏面側撮像部２９０が設けられている。電子機器２に設けられたこれらの構成要素は、機器ケース２０内に収められている。
【００２３】
制御部２１０は、ＣＰＵ（Central Processing Unit）２１１、ＤＳＰ（Digital Signal Processor）２１２及び記憶部２１３等を備えている。制御部２１０は、電子機器２の他の構成要素を制御することによって、電子機器２の動作を統括的に管理する。
【００２４】
記憶部２１３は、ＲＯＭ（Read Only Memory）及びＲＡＭ（Random Access Memory）等の、制御部２１０（ＣＰＵ２１１及びＤＳＰ２１２）が読み取り可能な非一時的な記録媒体で構成されている。記憶部２１３には、電子機器２の動作、具体的には電子機器２が備える無線通信部２２０、表示パネル２３０等の各構成要素を制御するための各種プログラムが記憶されている。制御部２１０の各種機能は、ＣＰＵ２１１及びＤＳＰ２１２が記憶部２１３内の各種プログラムを実行することによって実現される。なお、記憶部２１３は、ＲＯＭ及びＲＡＭ以外の、コンピュータが読み取り可能な非一時的な記録媒体を備えていても良い。記憶部２１３は、例えば、小型のハードディスクドライブ及びＳＳＤ（Solid State Drive）等を備えていても良い。
【００２５】
無線通信部２２０は、アンテナ２２１を有している。無線通信部２２０は、電子機器２とは別の携帯電話機からの信号、あるいはインターネットに接続されたウェブサーバ等の通信装置からの信号を、基地局等を介してアンテナ２２１で受信する。無線通信部２２０は、受信信号に対して増幅処理及びダウンコンバートを行って制御部２１０に出力する。制御部２１０は、入力される受信信号に対して復調処理等を行って、当該受信信号に含まれる、音声や音楽などを示す音信号などを取得する。また無線通信部２２０は、制御部２１０で生成された、音信号等を含む送信信号に対してアップコンバート及び増幅処理を行って、処理後の送信信号をアンテナ２２１から無線送信する。アンテナ２２１からの送信信号は、基地局等を通じて、電子機器２とは別の携帯電話機あるいはインターネットに接続された通信装置で受信される。
【００２６】
表示パネル２３０は、例えば、液晶表示パネルあるいは有機ＥＬパネルである。表示パネル２３０は、制御部２１０によって制御されることによって、文字、記号、図形などの各種情報を表示する。表示パネル２３０は、機器ケース２０内において、表示領域２１と対向して配置されている。表示パネル２３０に表示される情報は表示領域２１に表示される。
【００２７】
タッチパネル２４０は、表示領域２１に対する指等の操作子による操作を検出する。タッチパネル２４０は、例えば、投影型静電容量方式のタッチパネルであって、表示領域２１の裏面に貼り付けられている。ユーザが指等の操作子によって表示領域２１に対して操作を行ったとき、その操作に応じた電気信号がタッチパネル２４０から制御部２１０に入力される。制御部２１０は、タッチパネル２４０からの電気信号に基づいて、表示領域２１に対して行われた操作の内容を特定して、その内容に応じた処理を行う。
【００２８】
マイク２５０は、電子機器２の外部から入力される音を電気的な音信号に変換して制御部２１０に出力する。電子機器２の外部からの音はマイク穴２３から電子機器２の内部に取り込まれてマイク２５０に入力される。
【００２９】
外部スピーカ２７０は、例えばダイナミックスピーカである。外部スピーカ２７０は、制御部２１０からの電気的な音信号を音に変換して出力する。外部スピーカ２７０から出力される音はスピーカ穴２４から外部に出力される。スピーカ穴２４から出力される音は、電子機器２から離れた場所でも聞こえるようになっている。
【００３０】
レシーバ２６０は受話音を出力する。レシーバ２６０は例えばダイナミックスピーカで構成されている。レシーバ２６０は、制御部２１０からの電気的な音信号を音に変換して出力する。レシーバ２６０から出力される音はレシーバ穴２２から外部に出力される。レシーバ穴２２から出力される音の音量は、スピーカ穴２４から出力される音の音量よりも小さくなっている。
【００３１】
前面側撮像部２８０は、撮像レンズ２８１及び撮像素子などで構成されている。前面側撮像部２８０は、制御部２１０による制御に基づいて、静止画像及び動画像を撮像する。裏面側撮像部２９０は、撮像レンズ２９１及び撮像素子などで構成されている。裏面側撮像部２９０は、制御部２１０による制御に基づいて、静止画像及び動画像を撮像する。
【００３２】
電源部２００は電子機器２の電源を出力する。電源部２００から出力される電源は、電子機器２が備える制御部２１０及び無線通信部２２０などの各種回路に対して供給される。電源部２００は、電池２０１を備えており、電池２０１の電力を電源として出力することが可能である。電池２０１は、充電器３が備える電池３０１の電力によって充電される。
【００３３】
＜充電器の電気的構成＞
図１１は充電器３の電気的構成を示すブロック図である。図１１に示されるように、充電器３は、電池３０１と、充電部３０２と、ＤＣ・ＤＣコンバータ３０３と、スイッチ３０４と、充電ＬＥＤ３０５と、ＵＳＢコネクタ３０６と、接続端子群３０７とを備えている。
【００３４】
充電部３０２は、ＵＳＢコネクタ３０６に供給される第１外部電力ＥＰ１に基づいて電池３０１を充電する。言い換えれば、充電部３０２は、ＵＳＢコネクタ３０６に供給される第１外部電圧ＥＶ１に基づいて電池３０１を充電する。充電ＬＥＤ（Light Emitting Diode）３０５は、充電部３０２によって制御されることによって、電池３０１の充電中に点灯する。充電ＬＥＤ３０５は、その点灯状態が充電器３の外部から視認できるように充電器３に設けられている。スイッチ３０４は、充電部３０２による制御によって、オン／オフ制御される。充電部３０２の出力と電池３０１とは、スイッチ３０４がオン状態のときに電気的に接続され、スイッチ３０４がオフ状態ときに電気的に接続されない。
【００３５】
ＤＣ・ＤＣコンバータ３０３は、昇圧回路３０３ａを備えている。昇圧回路３０３ａは、入力電圧を５Ｖまで昇圧し、それによって得られる昇圧電圧を出力する。この昇圧電圧（５Ｖ）は、電池３０１の出力電圧よりも高くなっている。満充電の電池３０１の出力電圧は４．２Ｖ程度となっている。またＤＣ・ＤＣコンバータ３０３は、入力電圧を昇圧せずにそのまま出力することも可能である。
【００３６】
接続端子群３０７を構成する複数の接続端子３０７ｚは、ＶＤＤ端子３０７ａ、イネーブル端子３０７ｂ、制御端子３０７ｃ及びＧＮＤ端子３０７ｄで構成されている。ＶＤＤ端子３０７ａは、ＤＣ・ＤＣコンバータ３０３の出力電圧を充電器３の外部に出力する。以後、ＶＤＤ端子３０７ａから出力される電圧を「充電器出力電圧ＯＶ」と呼ぶことがある。
【００３７】
イネーブル端子３０７ｂは、電子機器２から出力されるイネーブル信号ＥＮが入力され、入力されるイネーブル信号ＥＮをＤＣ・ＤＣコンバータ３０３に出力する。電子機器２は、充電器３が装着されると、イネーブル信号ＥＮを充電器３に出力する。制御端子３０７ｃは、電子機器２から出力される制御信号ＣＮＴが入力され、入力される制御信号ＣＮＴをＤＣ・ＤＣコンバータ３０３に出力する。ＧＮＤ端子３０７ｄには充電器３での接地電位が接続される。
【００３８】
ＤＣ・ＤＣコンバータ３０３は、動作モードとして、入力電圧を昇圧回路３０３ａで昇圧して出力する昇圧モードと、入力電圧をそのまま出力するスルーモードと、出力を行わない停止モードとを備えている。ＤＣ・ＤＣコンバータ３０３が昇圧モードで動作するときには、ＤＣ・ＤＣコンバータ３０３には電池３０１の出力電圧が入力される。したがって、昇圧モードで動作するＤＣ・ＤＣコンバータ３０３は、昇圧回路３０３ａで電池３０１の出力電圧を５Ｖまで昇圧して出力する。
【００３９】
ＤＣ・ＤＣコンバータ３０３は、ＵＳＢコネクタ３０６に第１外部電力ＥＰ１が供給されているときには、充電部３０２による制御によって、停止モードで動作する。さらに、ＤＣ・ＤＣコンバータ３０３は、イネーブル信号ＥＮが入力されていないときには停止モードで動作する。ＤＣ・ＤＣコンバータ３０３が停止モードで動作するときには、充電器３からは充電器出力電圧ＯＶが出力されない。
【００４０】
また、ＤＣ・ＤＣコンバータ３０３は、ＵＳＢコネクタ３０６に第１外部電力ＥＰ１が供給されておらず、かつイネーブル信号ＥＮが入力されているとき、昇圧モード及びスルーモードのどちらかの動作モードで動作する。ＤＣ・ＤＣコンバータ３０３が昇圧モード及びスルーモードのどちらで動作するかについては、制御信号ＣＮＴによって制御される。
【００４１】
充電部３０２は、ＵＳＢコネクタ３０６に第１外部電力ＥＰ１が供給されており、かつ電池３０１が満充電でないときには、スイッチ３０４をオン状態に設定するとともに、ＤＣ・ＤＣコンバータ３０３の動作モードを停止モードに設定する。これにより、電池３０１が第１外部電力ＥＰ１によって充電される。充電部３０２は、電池３０１の充電が完了すると、充電ＬＥＤ３０５を消灯するとともに、スイッチ３０４をオフ状態に設定する。ＵＳＢコネクタ３０６に第１外部電力ＥＰ１が供給されている場合には、ＤＣ・ＤＣコンバータ３０３の出力は停止する。
【００４２】
また充電部３０２は、ＵＳＢコネクタ３０６に第１外部電力ＥＰ１が供給されていないとき、スイッチ３０４をオン状態に設定する。これにより、ＤＣ・ＤＣコンバータ３０３には電池３０１の電力が、言い換えれば電池３０１の出力電圧が供給される。このとき、昇圧モードで動作するＤＣ・ＤＣコンバータ３０３は、電池３０１の出力電圧を５Ｖまで昇圧してＶＤＤ端子３０７ａに出力する。つまり、ＤＣ・ＤＣコンバータ３０３から出力される昇圧電圧が充電器出力電圧ＯＶとなる。一方で、スルーモードで動作するＤＣ・ＤＣコンバータ３０３は、電池３０１の出力電圧をそのままＶＤＤ端子３０７ａに出力する。言い換えれば、スルーモードで動作するＤＣ・ＤＣコンバータ３０３は、電池３０１の出力とＶＤＤ端子３０７ａとを接続する。これにより、電池３０１の出力電圧が充電器出力電圧ＯＶとなる。
【００４３】
このように、充電器３は、電子機器２に対して、ＤＣ・ＤＣコンバータ３０３が出力する昇圧電圧（電池３０１の出力電圧が昇圧されたもの）及び電池３０１の出力電圧のいずれか一方を充電器出力電圧ＯＶとして出力する。充電器３は、ＤＣ・ＤＣコンバータ３０３が出力する昇圧電圧を電子機器２に出力するときと、電池３０１の出力電圧をそのまま電子機器２に出力するときには、電池３０１の電力を電子機器２に供給する。以後、充電器３から電子機器２に供給される電力を「充電器出力電力ＯＰ」と呼ぶ。
【００４４】
＜電子機器の電源部の構成＞
図１２は電子機器２の電源部２００の構成を主に示す図である。図１２に示されるように、電源部２００は、電池２０１と、制御部２０２と、スイッチ２０３，２０４と、ダイオード２０５と、ＵＳＢコネクタ２０６と、接続端子群２０７とを備えている。
【００４５】
接続端子群２０７を構成する複数の接続端子２０７ｚは、ＶＤＤ端子２０７ａ、イネーブル端子２０７ｂ、制御端子２０７ｃ及びＧＮＤ端子２０７ｄで構成されている。ＶＤＤ端子２０７ａは充電器３のＶＤＤ端子３０７ａと接触する。ＶＤＤ端子２０７ａは、それに接触するＶＤＤ端子３０７ａから供給される電圧を制御部２０２に出力する。これにより、制御部２０２には、充電器３からの電力が供給される。
【００４６】
イネーブル端子２０７ｂは、充電器３のイネーブル端子３０７ｂと接触する。イネーブル端子２０７ｂは、制御部２１０から出力されるイネーブル信号ＥＮを、当該イネーブル端子２０７ｂに接触するイネーブル端子３０７ｂに出力する。制御端子２０７ｃは、充電器３の制御端子３０７ｃと接触する。制御端子２０７ｃは、制御部２１０から出力される制御信号ＣＮＴを、当該制御端子２０７ｃに接触する制御端子３０７ｃに出力する。ＧＮＤ端子２０７ｄは、充電器３のＧＮＤ端子３０７ｄと接触する。ＧＮＤ端子２０７ｄには、電子機器２での接地電位が接続される。
【００４７】
制御部２０２は、ＵＳＢコネクタ２０６に供給される第２外部電力ＥＰ２に基づいて電池２０１を充電することが可能である。制御部２０２は、ＶＤＤ端子２０７ａを通じて充電器３から供給される充電器出力電力ＯＰに基づいて電池２０１を充電することも可能である。
【００４８】
また制御部２０２は、ＵＳＢコネクタ２０６に供給される第２外部電力ＥＰ２を、電子機器２での電源部２００以外の回路（制御部２１０、無線通信部２２０など）に供給することが可能である。言い換えれば、制御部２０２は、ＵＳＢコネクタ２０６に供給される第２外部電圧ＥＶ２を、電子機器２での電源部２００以外の回路に供給することが可能である。以後、電源部２００から、電子機器２での電源部２００以外の回路に供給される電力及び電圧をそれぞれ「システム電力ＳＹＰ」及び「システム電圧ＳＹＶ」と呼ぶ。
【００４９】
制御部２０２は、充電器３から供給される充電器出力電力ＯＰをシステム電力ＳＹＰとして出力することも可能である。さらに、制御部２０２は、電池２０１の電力をシステム電力ＳＹＰとして出力することも可能である。
【００５０】
スイッチ２０３の一端及び他端は、ＶＤＤ端子２０７ａ及びダイオード２０５のアノードにそれぞれ接続されている。ダイオード２０５のカソードは電池２０１に接続されている。スイッチ２０４の一端及び他端は、制御部２０２の出力及び電池２０１にそれぞれ接続されている。
【００５１】
スイッチ２０３は、制御部２１０からのスイッチ制御信号ＳＣＮＴ１に基づいてオン／オフ制御される。スイッチ２０３がオン状態になると、ＶＤＤ端子２０７ａと電池２０１とがダイオード２０５を介して接続される。スイッチ２０４は、制御部２０２からのスイッチ制御信号ＳＣＮＴ２に基づいてオン／オフ制御される。スイッチ２０４がオン状態になると、制御部２０２の出力と電池２０１の出力とが接続される。制御部２０２は、スイッチ制御信号ＳＣＮＴ２によってスイッチ２０４をオン状態に設定し、電池２０１を充電する。
【００５２】
制御部２０２には、後述するモード通知信号ＭＤが制御部２１０から入力される。また制御部２０２は、電源部２００の状態を通知するための状態通知信号ＳＴを制御部２１０に出力する。制御部２０２は、電子機器２に第２外部電力ＥＰ２が供給されているか否か、電子機器２に充電器出力電圧ＯＶが供給されているか否かなどを例えば定期的に判定し、その判定結果を示す状態通知信号ＳＴを例えば定期的に出力する。
【００５３】
電子機器２では、制御部２１０、制御部２０２、スイッチ２０３、スイッチ２０４及びダイオード２０５によって、電池２０１に対する充電と、システム電力ＳＹＰ（システム電圧ＳＹＶ）とを制御する電力制御部２１５が構成される。
【００５４】
＜電力制御部の動作について＞
＜電子機器に外部電力が供給されている場合＞
以下に、電子機器２のＵＳＢコネクタ２０６に第２外部電力ＥＰ２が供給されているときの充電器付き電子機器２の電力制御部２１５の動作について説明する。
【００５５】
第２外部電力ＥＰ２が供給されているとき、制御部２０２は、第２外部電力ＥＰ２が供給されていることを示す状態通知信号ＳＴを制御部２１０に出力する。制御部２１０は、制御部２０２からの状態通知信号ＳＴが、第２外部電力ＥＰ２が供給されていることを示す場合には、スイッチ制御信号ＳＣＮＴ１によってスイッチ２０３をオフ状態に設定する。第２外部電力ＥＰ２が供給されている間は、スイッチ２０３はオフ状態に維持される。
【００５６】
第２外部電力ＥＰ２が供給されているとき、制御部２０２は、ＶＤＤ端子２０７ａから供給される充電器出力電力ＯＰを使用せずに、第２外部電力ＥＰ２に基づいて、電池２０１を充電したり、システム電力ＳＹＰを各種回路に供給したりする。制御部２０２は、電池２０１が満充電のときには、スイッチ制御信号ＳＣＮＴ２によってスイッチ２０４をオフ状態に設定する。そして、制御部２０２は、第２外部電力ＥＰ２をシステム電力ＳＹＰとして出力する。一方で、制御部２０２は、電池２０１が満充電でないとき、スイッチ制御信号ＳＣＮＴ２によってスイッチ２０４をオン状態に設定する。そして、制御部２０２は、第２外部電力ＥＰ２に基づいて電池２０１を充電するとともに、第２外部電力ＥＰ２をシステム電力ＳＹＰとして出力する。
【００５７】
このように、電子機器２に対して第２外部電力ＥＰ２が供給されている場合には、電力制御部２１５は、充電器３からの充電器出力電力ＯＰを使用せずに、第２外部電力ＥＰ２に基づいて電池２０１の充電及びシステム電力ＳＹＰの生成を行う。
【００５８】
＜電子機器に外部電力が供給されていない場合＞
以下に、電子機器２に第２外部電力ＥＰ２が供給されていないときの充電器付き電子機器２の電力制御部２１５の動作について説明する。この場合の電力制御部２１５の動作は、充電器３に第１外部電力ＥＰ１が供給されているか否かで異なる。
【００５９】
＜充電器に外部電力が供給されている場合＞
上述のように、充電器３に第１外部電力ＥＰ１が供給されている場合には、ＤＣ・ＤＣコンバータ３０３の出力は停止する。したがって、充電器３からは充電器出力電圧ＯＶが出力されない。電力制御部２１５では、制御部２０２が、ＶＤＤ端子２０７ａの電圧を検出し、検出した電圧がしきい値以下であれば、電子機器２に充電器出力電圧ＯＶが供給されていないと判定する。そして、制御部２０２は、その判定結果を示す状態通知信号ＳＴを制御部２１０に出力する。一方で、制御部２０２は、ＶＤＤ端子２０７ａの電圧がしきい値よりも大きければ、電子機器２に充電器出力電圧ＯＶが供給されていると判定する。そして、制御部２０２は、その判定結果を示す状態通知信号ＳＴを制御部２１０に出力する。
【００６０】
制御部２０２は、電子機器２に充電器出力電圧ＯＶが供給されていないと判定すると、スイッチ２０４をオン状態にする。制御部２１０は、状態通知信号ＳＴが、電子機器２に充電器出力電圧ＯＶが供給されていないことを示す場合には、スイッチ２０３をオフ状態に設定する。これにより、電池２０１の出力電圧が、システム電圧ＳＹＶとして電源部２００から出力される。言い換えれば、電池２０１の電力が、システム電力ＳＹＰとして電源部２００から出力される。
【００６１】
このように、電子機器２に対して第２外部電力ＥＰ２が供給されておらず、充電器３に第１外部電力ＥＰ１が供給されている場合には、電力制御部２１５は、システム電力ＳＹＰとして、電池２０１の電力を制御部２１０等の各種回路に供給する。
【００６２】
＜充電器に外部電力が供給されていない場合＞
充電器３に第１外部電力ＥＰ１が供給されていないときには、電力制御部２１５は、ＶＤＤ端子２０７ａから入力される充電器出力電力ＯＰに基づいて、電池２０１を充電したり、システム電力ＳＹＰを各種回路に供給したりする。このとき、電力制御部２１５は、動作モードとして、充電モードと、電池容量拡張モードと、端末側電池不使用モードとを備えている。電力制御部２１５の動作モードは、例えば、ユーザによって指定される。ユーザは、表示領域２１を指等で操作することによって、電力制御部２１５の動作モードを指定することができる。制御部２１０は、ユーザによって動作モードが指定されると、指定された動作モードを示すモード情報を記憶部２１３に記憶する。以下に、充電モード、電池容量拡張モード及び端末側電池不使用モードについて説明する。以下の説明では、特に断らない限り、充電器３に第１外部電力ＥＰ１が供給されておらず、電子機器２に第２外部電力ＥＰ２が供給されていないものとする。
【００６３】
＜充電モードについて＞
制御部２１０は、状態通知信号ＳＴが、電子機器２に充電器出力電圧ＯＶが供給されていることを示す場合であって、記憶部２１３内のモード情報が充電モードを示す場合には、充電モードを示すモード通知信号ＭＤを制御部２０２に出力する。さらに、制御部２１０は、スイッチ２０３をオフ状態に設定し、充電器３のＤＣ・ＤＣコンバータ３０３が昇圧モードで動作することを指示する制御信号ＣＮＴを出力する。これにより、ＤＣ・ＤＣコンバータ３０３が昇圧モードで動作し、電池３０１の出力電圧が昇圧回路３０３ａで昇圧されることによって得られる昇圧電圧が充電器出力電圧ＯＶとしてＶＤＤ端子２０７ａに入力される。ＤＣ・ＤＣコンバータ３０３が昇圧モードで動作する場合には、電池３０１の電力が昇圧回路３０３ａを通じて電子機器２に供給される。制御部２０２は、モード通知信号ＭＤが充電モードを示す場合であって、電池２０１が満充電でない場合には、スイッチ２０４をオン状態に設定する。そして、制御部２０２は、充電器３からの充電器出力電力ＯＰに基づいて電池２０１を充電する。つまり、制御部２０２は、昇圧回路３０３ａを通じて電子機器２に供給される電池３０１の電力に基づいて電池２０１を充電する。また制御部２０２は、充電器３からの充電器出力電力ＯＰをシステム電力ＳＹＰとして出力する。
【００６４】
このように、充電モードでは、電力制御部２１５は、充電器３から出力される昇圧電圧に基づいて、電池２０１を充電するとともに、当該昇圧電圧をシステム電圧ＳＹＶとして各種回路に供給する。言い換えれば、充電モードでは、電力制御部２１５は、昇圧回路３０３ａを通じて電子機器２に供給される電池３０１の電力に基づいて電池２０１を充電するとともに、昇圧回路３０３ａを通じて電子機器２に供給される電池３０１の電力をシステム電力ＳＹＰとして各種回路に供給する。
【００６５】
充電モードで動作する電力制御部２１５が電池２０１を充電する場合には、充電器３及び電子機器２の電源部２００の等価的な構成は図１３に示される構成となる。
【００６６】
＜電池容量拡張モードについて＞
制御部２１０は、状態通知信号ＳＴが、電子機器２に充電器出力電圧ＯＶが供給されていることを示す場合であって、記憶部２１３内のモード情報が電池容量拡張モードを示す場合には、電池容量拡張モードを示すモード通知信号ＭＤを制御部２０２に出力する。さらに、制御部２１０は、スイッチ２０３をオン状態に設定し、充電器３のＤＣ・ＤＣコンバータ３０３がスルーモードで動作することを指示する制御信号ＣＮＴを出力する。これにより、ＤＣ・ＤＣコンバータ３０３がスルーモードで動作し、電池３０１の出力電圧がそのまま充電器出力電圧ＯＶとしてＶＤＤ端子２０７ａに入力される。ＤＣ・ＤＣコンバータ３０３がスルーモードで動作する場合には、電池３０１の電力が昇圧回路３０３ａを介さずに電子機器２に供給される。制御部２０２は、モード通知信号ＭＤが電池容量拡張モードを示す場合には、電池２０１が満充電か否かにかかわらずに、スイッチ２０４をオン状態に設定する。そして、制御部２０２は、自身の出力を停止する。つまり、制御部２０２からは、それに入力される充電器出力電圧ＯＶは出力されない。これにより、充電器３及び電子機器２の電源部２００の等価的な構成が図１４に示される構成となる。
【００６７】
図１４に示されるように、電力制御部２１５が電池容量拡張モードで動作する場合には、電子機器２の電池２０１に対して、充電器３の電池３０１がダイオード２０５を通じて電気的に接続される。これにより、電池２０１と電池３０１とが並列接続された一つの電池５０１が構成される。例えば、電池３０１の最大容量（満充電時の電池３０１の容量）が３０００ｍＡｈ、電池２０１の最大容量（満充電時の電池２０１の容量）が３４００ｍＡｈとすると、電池５０１の最大容量は約５４００ｍＡｈとなる。電力制御部２１５は、電池２０１，３０１で構成される大容量の電池５０１の電力を、システム電力ＳＹＰとして各種回路に供給する。
【００６８】
このように、電池容量拡張モードでは、電力制御部２１５は、電池２０１，３０１を電気的に接続して一つの電池５０１として使用することによって、電池２０１の電力と、昇圧回路３０３ａを介さずに電子機器２に供給される電池３０１の電力とを各種回路に供給する。
【００６９】
＜端末側電池不使用モードについて＞
制御部２１０は、状態通知信号ＳＴが、電子機器２に充電器出力電圧ＯＶが供給されていることを示す場合であって、記憶部２１３内のモード情報が端末側電池不使用モードを示す場合には、端末側電池不使用モードを示すモード通知信号ＭＤを制御部２０２に出力する。さらに、制御部２１０は、スイッチ２０３をオフ状態に設定し、充電器３のＤＣ・ＤＣコンバータ３０３がスルーモードで動作することを指示する制御信号ＣＮＴを出力する。これにより、ＤＣ・ＤＣコンバータ３０３がスルーモードで動作し、電池３０１の出力電圧がそのまま充電器出力電圧ＯＶとしてＶＤＤ端子２０７ａに入力される。ＤＣ・ＤＣコンバータ３０３がスルーモードで動作する場合には、電池３０１の電力が昇圧回路３０３ａを介さずに電子機器２に供給される。制御部２０２は、モード通知信号ＭＤが端末側電池不使用モードを示す場合には、スイッチ２０４をオフ状態に設定する。そして、制御部２０２は、充電器３から入力される充電器出力電圧ＯＶをそのまま出力する。これにより、充電器付き電子機器２は、電池２０１の電力及び電池３０１の電力のうち、電池３０１の電力のみを使用して動作を行う。電力制御部２１５が端末側電池不使用モードで動作する場合での、充電器３及び電子機器２の電源部２００の等価的な構成は、図１５に示される構成となる。
【００７０】
図１５に示されるように、電力制御部２１５が端末側電池不使用モードで動作する場合には、充電器３の電池３０１の出力電圧がそのままシステム電圧ＳＹＶとして各種回路に供給される。言い換えれば、昇圧回路３０３ａを介さずに電子機器２に供給される電池３０１の電力がシステム電力ＳＹＰとして各種回路に供給される。電力制御部２１５が端末側電池不使用モードで動作する場合には、電子機器２の電池２０１の電力は使用されない。
【００７１】
このように、端末側電池不使用モードでは、電力制御部２１５は、電池２０１の電力を使用せずに、昇圧回路３０３ａを介さずに電子機器２に供給される電池３０１の電力だけをシステム電力ＳＹＰとして各種回路に供給する。
【００７２】
以上のように、電子機器システム１では、電力制御部２１５は、昇圧回路３０３ａからの昇圧電圧に基づいて電池２０１を充電する充電モードを有しているため、電池２０１を適切に充電することができる。よって、ユーザは、電池２０１の容量が少なくなったときには、電子機器２に対して、電力制御部２１５の動作モードとして充電モードを指定することによって、充電器付き電子機器２に電池２０１の充電を実行させることができる。
【００７３】
ここで、充電モードでは、電力制御部２１５は、昇圧回路３０３ａを通じて供給される電池３０１の電力に基づいて、電池２０１を充電するとともにシステム電力ＳＹＰを各種回路に供給している。この場合には、昇圧回路３０３ａにおいて電池３０１の電力が消費されてしまい、無駄に電池３０１の電力が消費されてしまう。
【００７４】
これに対して、電池容量拡張モード及び端末側電池不使用モードでは、電力制御部２１５は、昇圧回路３０３ａを介さずに電子機器２に供給される電池３０１の電力をシステム電力ＳＹＰとして各種回路に供給する。したがって、充電モードとは異なり、電池３０１の電力が無駄に消費されることを抑制することができる。よって、電子機器２は、電池３０１の電力を有効利用することができる。電池容量拡張モード及び端末側電池不使用モードは、昇圧回路３０３ａを介さずに電子機器２に供給される電池３０１の電力がシステム電力ＳＹＰとして各種回路に供給される動作モードであると言える。つまり、電池容量拡張モード及び端末側電池不使用モードは、電池３０１の電力を有効利用することが可能な動作モードであると言える。
【００７５】
また電池容量拡張モードでは、電力制御部２１５は、電池２０１の電力と、昇圧回路３０３ａを介さずに電子機器２に供給される電池３０１の電力とを各種回路に供給する。したがって、電力制御部２１５が電池容量拡張モードで動作する場合には、充電器付き電子機器２は、電池３０１の電力を有効利用しつつ、電池２０１，３０１の両方の電力を使用することができる。そのため、充電器付き電子機器２は長時間動作することが可能となる。よって、ユーザは、充電器付き電子機器２を長時間動作させたい場合には、電力制御部２１５の動作モードとして電池容量拡張モードを電子機器２に対して指定することができる。
【００７６】
また端末側電池不使用モードでは、電力制御部２１５は、電池２０１の電力を使用せずに、昇圧回路３０３ａを介さずに電子機器２に供給される電池３０１の電力だけをシステム電力ＳＹＰとして各種回路に供給する。したがって、ユーザは、電池２０１の容量が減少することを抑制したい場合には、電力制御部２１５の動作モードとして端末側電池不使用モードを電子機器２に対して指定することができる。さらに、端末側電池不使用モードでは、電池３０１の電力を有効利用することができることから、電池２０１の電力が使用されないとしても、充電器付き電子機器２は長時間動作することが可能となる。
【００７７】
また電池容量拡張モード及び端末側電池不使用モードでは、充電器３の昇圧回路３０３ａが使用されないことから、昇圧回路３０３ａの発熱を抑制することができる。よって、充電器３の発熱を抑制することができる。
【００７８】
なお、スイッチ２０３は、制御部２１０ではなく、制御部２０２によって制御されても良い。
【００７９】
また上記の例では、電力制御部２１５は、充電モード、電池容量拡張モード及び端末側電池不使用モードを備えていたが、電池容量拡張モードを備えていなくても良いし、端末側電池不使用モードを備えていなくても良い。
【００８０】
また上記の例では、ユーザは、電子機器２を操作することによって、電力制御部２１５の動作モードを指定していたが、充電器３を操作することによって、電力制御部２１５の動作モードを指定しても良い。例えば、充電器３の外側面３ａに、電力制御部２１５の動作モードを指定するためのモードスイッチを設ける。このモードスイッチは、充電モード、電池容量拡張モード及び端末側電池不使用モードにそれぞれ応じた３つの状態をとりえる。ユーザは、モードスイッチの状態を設定して、電力制御部２１５の動作モードを指定することができる。充電器３は、設定されているモードスイッチの状態に応じた動作モードを示すモード情報を電子機器２に出力する。電子機器２では、充電器３からのモード情報が制御部２１０に入力される。制御部２１０は、入力されたモード情報を記憶部２１３に記憶する。これより、ユーザは、充電器３を操作することによって、電力制御部２１５の動作モードを指定することができる。なお、この場合には、充電器３には、モード情報を電子機器２に出力するための接続端子３０７ｚが必要となり、電子機器２には、充電器３からのモード情報を受けるための接続端子２０７ｚが必要となる。
【００８１】
＜各種変形例＞
＜第１変形例＞
第１変形例では、電力制御部２１５は、ユーザが指定した動作モードで動作するのではなく、動作モードを自ら決定する。第１変形例では、電力制御部２１５は、動作モードとして、ユーザから電池容量拡張モードが指定されると、電池容量拡張モードで動作する。一方で、電力制御部２１５は、動作モードとして、ユーザから電池容量拡張モードが指定されない場合には、電子機器２内の電池２０１の容量に基づいて、充電モード及び端末側電池不使用モードのうちの一方を動作モードとして決定する。図１６は第１変形例に係る電力制御部２１５の動作を示すフローチャートである。図１６には、ユーザから電池容量拡張モードが指定されない場合の電力制御部２１５の動作が示されている。
【００８２】
図１６に示されるように、ステップｓ１において、制御部２０２は、電池２０１の容量を求める。例えば、制御部２０２は、スイッチ２０４をオン状態に設定して、電池２０１の出力電圧を測定し、測定した出力電圧に基づいて電池２０１の容量を求める。このとき、スイッチ２０３はオフ状態である。
【００８３】
次にステップｓ２において、制御部２０２は、ステップｓ１で求めた電池２０１の容量がしきい値以上であるか否かを判定する。制御部２０２は、電池２０１の容量が、例えば、電池２０１の最大容量の２０％以上であるか否かを判定する。
【００８４】
ステップｓ２において、電池２０１の容量が、電池２０１の最大容量の２０％以上であると判定されると、電力制御部２１５は、ステップｓ３において端末側電池未使用モードで動作する。ステップｓ３では、制御部２０２は、スイッチ２０４をオフ状態に設定し、電力制御部２１５の動作モードを端末側電池未使用モードに設定すべきであることを制御部２１０に通知する。制御部２１０は、スイッチ２０３をオフ状態に設定し、ＤＣ・ＤＣコンバータ３０３がスルーモードで動作することを指示する制御信号ＣＮＴを出力する。これにより、電力制御部２１５は、端末側電池未使用モードで動作し、昇圧回路３０３ａを介させずに電子機器２に供給される電池３０１の電力がシステム電力ＳＹＰとして各種回路に供給される。
【００８５】
一方で、ステップｓ２において、電池２０１の容量が、電池２０１の最大容量の２０％未満であると判定されると、電力制御部２１５は、ステップｓ４において充電モードで動作する。ステップｓ４では、制御部２０２は、スイッチ２０４をオン状態に設定し、電力制御部２１５の動作モードを充電モードに設定すべきであることを制御部２１０に通知する。制御部２１０は、スイッチ２０３をオフ状態に設定し、ＤＣ・ＤＣコンバータ３０３が昇圧モードで動作することを指示する制御信号ＣＮＴを出力する。これにより、電力制御部２１５は、充電モードで動作し、充電器出力電力ＯＰに基づいて電池２０１を充電する。ステップｓ４の後、制御部２０２は再度ステップｓ１を実行し、電力制御部２１５は以下同様に動作する。電力制御部２１５は、ステップｓ４が実行されて充電モードで動作しているときに、ステップｓ２において、電池２０１の容量がしきい値以上であると判定されると、ステップｓ３において、端末側電池未使用モードで動作する。
【００８６】
なお、ステップｓ２では、電池２０１の容量がしきい値よりも大きいか否かが判定されても良い。この場合には、電池２０１の容量が、しきい値よりも大きい場合にステップｓ３が実行され、しきい値以下の場合にステップｓ４が実行される。
【００８７】
このように、第１変形例では、電子機器２内の電池２０１の容量がある程度少ない場合には、電池２０１の充電が行われるため、充電器３が電子機器２から取り外されたときに、電池２０１の容量が少なすぎて電子機器２が動作できないということを抑制することができる。
【００８８】
また、電子機器２内の電池２０１の容量がある程度大きい場合には、昇圧回路３０３ａを介さずに電子機器２に供給される電池３０１の電力がシステム電力ＳＹＰとして使用されることから、電池３０１の電力を有効利用することができる。さらに、電池２０１の電力が使用されないことから、充電器３が電子機器２に装着されている間に、電池２０１の容量が少なくなることを抑制することができる。
【００８９】
また、電力制御部２１５は、充電モードで動作しているときに、電池２０１の容量がある程度大きくなると、端末側電池未使用モードで動作することから、電池２０１の容量がある程度大きくなった後は、電池２０１の容量を維持しつつ、電池３０１の電力を有効利用することができる。
【００９０】
＜第２変形例＞
上記の電池容量拡張モードでは、電池２０１，３０１が一つの電池５０１として使用されることによって電池２０１，３０１の電力の両方がシステム電力ＳＹＰとして使用されているが、電池２０１の電力と電池３０１の電力とが切り替えられて使用されることによって電池２０１，３０１の電力の両方がシステム電力ＳＹＰとして使用されても良い。図１７は、第２変形例に係る電池容量拡張モードで動作する電力制御部２１５の動作を示すフローチャートである。第２変形例では、電力制御部２１５が電池容量拡張モードで動作する場合には、スイッチ２０３はオフ状態に設定され、スイッチ２０４はオン状態に設定され、充電器３のＤＣ・ＤＣコンバータ３０３はスルーモードで動作する。
【００９１】
図１７に示されるように、電池容量拡張モードで動作する電力制御部２１５では、ステップｓ１１において、制御部２０２は、電池２０１の出力電圧（以後、「第１電池電圧」と呼ぶことがある）を検出する。次にステップｓ１２において、制御部２０２は、ＶＤＤ端子２７ａに入力される電池３０１の出力電圧（以後、「第２電池電圧」と呼ぶことがある）を検出する。ステップｓ１１，ｓ１２の実行順は入れ替えても良い。
【００９２】
次にステップｓ１３において、制御部２０２は、第１電池電圧が第２電池電圧よりも大きいか否かを判定する。ステップｓ１３において、制御部２０２は、第１電池電圧が第２電池電圧よりも大きいと判定すると、ステップｓ１４において、電池３０１の電力を使用せずに、電池２０１の電力をシステム電力ＳＹＰとして使用する。つまり、制御部２０２は、ＶＤＤ端子２０７ａから供給される第２電池電圧を出力せずに、第１電池電圧をシステム電圧ＳＹＶとして使用する。一方で、制御部２０２は、第１電池電圧が第２電池電圧以下であると判定すると、ステップｓ１５において、電池２０１の電力を使用せずに、電池３０１の電力をシステム電力ＳＹＰとして使用する。つまり、制御部２０２は、ＶＤＤ端子２０７ａから供給される第２電池電圧をシステム電圧ＳＹＶとして出力し、スイッチ２０４をオフ状態に設定して第１電池電圧を使用しない。
【００９３】
ステップｓ１４が実行されると、ステップｓ１６において、制御部２０２は、ステップｓ１４の実行から所定時間が経過したか否かを判定する。同様に、ステップｓ１５が実行されると、ステップｓ１６において、制御部２０２は、ステップｓ１５の実行から所定時間が経過したか否かを判定する。制御部２０２は、所定時間が経過したと判定すると、再度ステップｓ１１を実行し、制御部２０２は以後同様に動作する。
【００９４】
なお、ステップｓ１３では、第１電池電圧が第２電池電圧以上であるか否かが判定されても良い。この場合には、第１電池電圧が、第２電池電圧以上であればステップｓ１４が実行され、第２電池電圧未満であればステップｓ１５が実行される。
【００９５】
このように、電力制御部２１５は、電池容量拡張モードにおいて、電池２０１の電力及び電池３０１の電力を切り替えてシステム電力ＳＹＰとして使用していることから、電子機器２は電池２０１，３０１の両方の電力を使用して動作することができる。よって、電子機器２は長時間動作することができる。また、電力制御部２１５は、電池容量拡張モードにおいて、昇圧回路３０３ａを介さずに供給される電池３０１の電力をシステム電力ＳＹＰとして使用していることから、電池３０１の電力を有効利用することができる。
【００９６】
なお、電力制御部２１５は、動作モードとして、第２変形例に係る電池容量拡張モードを「第１電池容量拡張モード」として備えるとともに、電池２０１，３０１が一つの電池５０１として使用されることによって電池２０１，３０１の電力の両方を使用する電池容量拡張モードを「第２電池容量拡張モード」として備えても良い。
【００９７】
＜第３変形例＞
図１８は第３変形例に係る充電器３の構成を示すブロック図である。図１９は第３変形例に係る電子機器２の電源部２００の構成を主に示すブロック図である。
【００９８】
図１８に示されるように、第３変形例に係る充電器３では、制御端子３０７ｃの替りに電池電圧端子３０７ｅが設けられている。電池電圧端子３０７ｅは、電池３０１の出力に接続されている。したがって、電池電圧端子３０７ｅから、電池３０１の出力電圧が出力される。また第３変形例では、ＤＣ・ＤＣコンバータ３０３は、スルーモードを備えておらず、イネーブル信号ＥＶが入力されている場合には常に昇圧モードで動作する。
【００９９】
図１９に示されるように、第３変形例に係る電子機器２では、制御端子２０７ｃの替りに電池電圧端子２０７ｅが設けられている。電池電圧端子２０７ｅは電池電圧端子３０７ｅと接触する。したがって、電池電圧端子２０７ｅには、電池３０１の出力電圧が入力される。また第３変形例では、スイッチ２０３の替りに、スイッチ２０８，２０９が設けられており、ダイオード２０５のアノードが電池電圧端子２０７ｅに接続されている。スイッチ２０８の一端及び他端は、ダイオード２０５のカソード及び電池２０１にそれぞれ接続されている。スイッチ２０９の一端及び他端は、ダイオード２０５のカソード及び制御部２０２の出力にそれぞれ接続されている。スイッチ２０８は、制御部２１０が出力するスイッチ制御信号ＳＣＮＴ３によってオン／オフ制御される。スイッチ２０９は、制御部２１０が出力するスイッチ制御信号ＳＣＮＴ３によってオン／オフ制御される。
【０１００】
このような構成を有する電子機器システム１では、電力制御部２１５が充電モードで動作する場合には、スイッチ２０８，２０９がオフ状態に設定される。そして、制御部２０２は、ＶＤＤ端子２０７ａに入力される、ＤＣ・ＤＣコンバータ３０３からの昇圧電圧を出力する。これにより、スイッチ２０４がオン状態にされると、電池２０１は、昇圧回路３０３ａを通じて電子機器２に供給される電池３０１の電力に基づいて充電される。
【０１０１】
電力制御部２１５が第２電池容量拡張モードで動作する場合には、スイッチ２０４，２０８がオン状態に設定され、スイッチ２０９がオフ状態に設定される。そして、制御部２０２は、出力を停止し、ＤＣ・ＤＣコンバータ３０３からの昇圧電圧を出力しない。これより、上述の図１４に示されるように、電池３０１と電池２０１とが電気的に接続されて一つの電池５０１が構成され、電池５０１の電力がシステム電力ＳＹＰとして使用される。
【０１０２】
電力制御部２１５が第１電池容量拡張モードで動作する場合であって、電池２０１の電力が使用される場合には、スイッチ２０４がオン状態に設定され、スイッチ２０８，２０９がオフ状態に設定される。そして、制御部２０２は、出力を停止し、ＤＣ・ＤＣコンバータ３０３からの昇圧電圧を出力しない。これより、電池３０１の電力は使用されずに、電池２０１の電力がシステム電力ＳＹＰとして使用される。一方で、電力制御部２１５が第１電池容量拡張モードで動作する場合であって、電池３０１の電力が使用される場合には、スイッチ２０４，２０８がオフ状態に設定され、スイッチ２０９がオン状態に設定される。そして、制御部２０２は、出力を停止し、ＤＣ・ＤＣコンバータ３０３からの昇圧電圧を出力しない。これより、電池２０１の電力は使用されずに、電池３０１の電力がシステム電力ＳＹＰとして使用される。
【０１０３】
電力制御部２１５が端末側電池未使用モードで動作する場合には、スイッチ２０４，２０８がオフ状態に設定され、スイッチ２０９がオン状態に設定される。そして、制御部２０２は、出力を停止し、ＤＣ・ＤＣコンバータ３０３からの昇圧電圧を出力しない。これより、上述の図１５に示されるように、電池２０１の電力が使用されずに、電池３０１の電力がシステム電力ＳＹＰとして使用される。
【０１０４】
図１８，１９に示される構成が使用される場合であっても、上記と同様の効果を得ることができる。なお、スイッチ２０８，２０９は制御部２０２によって制御されても良い。
【０１０５】
以上のように、電子機器システム１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１０６】
１  電子機器システム
２  電子機器
３  充電器
２０１，３０１  電池
２１５  電力制御部
３０３ａ  昇圧回路
【図１】
2016208714.tif 000003
【図２】
2016208714.tif 000004
【図３】
2016208714.tif 000005
【図４】
2016208714.tif 000006
【図５】
2016208714.tif 000007
【図６】
2016208714.tif 000008
【図７】
2016208714.tif 000009
【図８】
2016208714.tif 000010
【図９】
2016208714.tif 000011
【図１０】
2016208714.tif 000012
【図１１】
2016208714.tif 000013
【図１２】
2016208714.tif 000014
【図１３】
2016208714.tif 000015
【図１４】
2016208714.tif 000016
【図１５】
2016208714.tif 000017
【図１６】
2016208714.tif 000018
【図１７】
2016208714.tif 000019
【図１８】
2016208714.tif 000020
【図１９】
2016208714.tif 000021